(57)【特許請求の範囲】
【請求項１】
走行車に連結される機体と、
この機体に回転可能に設けられ、上下方向の回転中心軸線を中心として回転しながら圃場の土を掘り上げて圃場に溝を形成する回転溝掘体と、
この回転溝掘体にて掘り上げた土をこの土が前記溝内に落ちないように側方に排出する排土体と、
前記溝の壁面部を押し固める押し固め体とを備え、
前記排土体および前記押し固め体は、いずれも前記回転中心軸線を中心とする略１８０度回動により、前記走行車の前進走行により作業をする前進作業状態と前記走行車のバック走行により作業をするバック作業状態とに切換え可能となっている溝掘機であって、
前記機体には回動支持フレームが前記回転中心軸線を中心として略１８０度回動可能に設けられ、この回動支持フレームに前記排土体と前記押し固め体とが設けられ、
前記機体は、前記回転溝掘体の上下方向の回転軸を回転可能に保持する軸保持部を有し、
前記回動支持フレームは、前記軸保持部の外周に第１位置および第２位置間で略１８０度回動可能に設けられ、前記第１位置に位置した状態では前記回動支持フレームに形成された孔と前記軸保持部よりも後方に位置する孔とに差し込まれた固定ピンによって前記機体に対して固定され、前記第２位置に位置した状態では前記回動支持フレームに形成された孔と前記軸保持部よりも前方に位置する孔とに差し込まれた前記固定ピンによって前記機体に対して固定される
ことを特徴とする溝掘機。
【請求項２】
走行車に連結される機体と、
この機体に回転可能に設けられ、上下方向の回転中心軸線を中心として回転しながら圃場の土を掘り上げて圃場に溝を形成する回転溝掘体と、
この回転溝掘体にて掘り上げた土をこの土が前記溝内に落ちないように側方に排出する排土体と、
前記溝の壁面部を押し固める押し固め体とを備え、
前記排土体および前記押し固め体は、いずれも前記回転中心軸線を中心とする略１８０度回動により、前記走行車の前進走行により作業をする前進作業状態と前記走行車のバック走行により作業をするバック作業状態とに切換え可能となっている溝掘機であって、
前記機体には回動支持フレームが前記回転中心軸線を中心として略１８０度回動可能に設けられ、この回動支持フレームに前記排土体と前記押し固め体とが設けられ、
前記機体は、前記回転溝掘体の上下方向の回転軸を回転可能に保持する軸保持部を有し、
前記回動支持フレームは、前記軸保持部の外周に第１位置および第２位置間で略１８０度回動可能に設けられ、前記第１位置に位置した状態では前記回動支持フレームに形成された孔と前記軸保持部から後方に向って突設されたピン受部の孔とに差し込まれた固定ピンによって前記機体に対して固定され、前記第２位置に位置した状態では前記回動支持フレームに形成された孔と前記軸保持部から前方に向って突設されたピン受部の孔とに差し込まれた前記固定ピンによって前記機体に対して固定される
ことを特徴とする溝掘機。
【発明の詳細な説明】
【技術分野】
【０００１】
本発明は、効率良く溝掘作業ができる溝掘機に関するものである。
【背景技術】
【０００２】
従来、例えばトラクタ等の走行車に連結される機体と、この機体に回転可能に設けられ垂直軸の外周に螺旋翼を取り付けて構成した回転溝掘体と、この回転溝掘体の螺旋翼の前進後面側を抱嵌する抱嵌板とを備えた溝掘機が知られている（例えば、特許文献１参照）。
【特許文献１】実開昭５４−１５４６０２号公報
【発明の開示】
【発明が解決しようとする課題】
【０００３】
しかしながら、上記従来の溝掘機では、圃場の作業開始部分において所望形状の溝が得られず、このため、圃場の作業開始部分に関しては作業者が手作業で溝を形成しなければならなかった。
【０００４】
本発明は、このような点に鑑みなされたもので、圃場の作業開始部分に関して作業者が手作業で溝を形成する必要がなく、効率良く溝掘作業ができる溝掘機を提供することを目的とする。
【課題を解決するための手段】
【０００５】
請求項１記載の溝掘機は、走行車に連結される機体と、この機体に回転可能に設けられ、上下方向の回転中心軸線を中心として回転しながら圃場の土を掘り上げて圃場に溝を形成する回転溝掘体と、この回転溝掘体にて掘り上げた土をこの土が前記溝内に落ちないように側方に排出する排土体と、前記溝の壁面部を押し固める押し固め体とを備え、前記排土体および前記押し固め体は、いずれも前記回転中心軸線を中心とする略１８０度回動により、前記走行車の前進走行により作業をする前進作業状態と前記走行車のバック走行により作業をするバック作業状態とに切換え可能となっている溝掘機であって、前記機体には回動支持フレームが前記回転中心軸線を中心として略１８０度回動可能に設けられ、この回動支持フレームに前記排土体と前記押し固め体とが設けられ、前記機体は、前記回転溝掘体の上下方向の回転軸を回転可能に保持する軸保持部を有し、前記回動支持フレームは、前記軸保持部の外周に第１位置および第２位置間で略１８０度回動可能に設けられ、前記第１位置に位置した状態では前記回動支持フレームに形成された孔と前記軸保持部よりも後方に位置する孔とに差し込まれた固定ピンによって前記機体に対して固定され、前記第２位置に位置した状態では前記回動支持フレームに形成された孔と前記軸保持部よりも前方に位置する孔とに差し込まれた前記固定ピンによって前記機体に対して固定されるものである。
【０００６】
請求項２記載の溝掘機は、走行車に連結される機体と、この機体に回転可能に設けられ、上下方向の回転中心軸線を中心として回転しながら圃場の土を掘り上げて圃場に溝を形成する回転溝掘体と、この回転溝掘体にて掘り上げた土をこの土が前記溝内に落ちないように側方に排出する排土体と、前記溝の壁面部を押し固める押し固め体とを備え、前記排土体および前記押し固め体は、いずれも前記回転中心軸線を中心とする略１８０度回動により、前記走行車の前進走行により作業をする前進作業状態と前記走行車のバック走行により作業をするバック作業状態とに切換え可能となっている溝掘機であって、前記機体には回動支持フレームが前記回転中心軸線を中心として略１８０度回動可能に設けられ、この回動支持フレームに前記排土体と前記押し固め体とが設けられ、前記機体は、前記回転溝掘体の上下方向の回転軸を回転可能に保持する軸保持部を有し、前記回動支持フレームは、前記軸保持部の外周に第１位置および第２位置間で略１８０度回動可能に設けられ、前記第１位置に位置した状態では前記回動支持フレームに形成された孔と前記軸保持部から後方に向って突設されたピン受部の孔とに差し込まれた固定ピンによって前記機体に対して固定され、前記第２位置に位置した状態では前記回動支持フレームに形成された孔と前記軸保持部から前方に向って突設されたピン受部の孔とに差し込まれた前記固定ピンによって前記機体に対して固定されるものである。
【発明の効果】
【０００７】
本発明によれば、走行車のバック走行に基づく溝掘作業によって圃場の作業開始部分において所望形状の溝を得ることができるため、圃場の作業開始部分に関して作業者が手作業で溝を形成する必要がなく、効率良く溝掘作業ができる。
【発明を実施するための最良の形態】
【０００８】
本発明の溝掘機の一実施の形態を図面を参照して説明する。
【０００９】
図１ないし図３において、１は溝掘機で、この溝掘機１は、圃場に断面略逆台形状の溝（溝幅および深さが２０cm〜４０cmの暗渠）Ａを形成する溝掘作業の際に用いるものである。
【００１０】
溝掘機１は、図示しない走行車であるトラクタの後部の作業機昇降支持装置（３点ヒッチ部）にカプラ２を介して連結された機体３を備えている。
【００１１】
機体３には、前後方向の入力軸４が回転可能に設けられている。入力軸４には、トラクタの図示しないＰＴＯ軸がシャフトおよびユニバーサルジョイント等を介して接続されている。
【００１２】
また、機体３には、入力軸４側からの動力で上下方向の回転中心軸線（垂直軸線）Ｘを中心として回転しながら圃場の土を掘り上げて圃場に溝Ａを形成する回転溝掘体（螺旋オーガ）６が回転可能に設けられている。
【００１３】
回転溝掘体６は、機体３の略円筒状の軸保持部７にて回転可能に保持された上下方向の回転軸８を有している。回転軸８の下部外周には圃場の土を掘り上げる螺旋板９が取り付けられ、回転軸８の上部外周には螺旋板９からの土を飛ばす土飛ばし板10が取り付けられている。土飛ばし板10の前方部および後方部はカバー板11にて覆われており、螺旋板９にて掘り上げられた土が土飛ばし板10にて左右両側方（土飛び方向）に向けて飛ばされるようになっている。なお、回転溝掘体６は、回転軸８、螺旋板９および土飛ばし板10等にて構成されている。
【００１４】
また、機体３の軸保持部７の外周には、回動支持フレーム15が第１位置および第２位置間で略１８０度回動可能に設けられている。回動支持フレーム15は、第１位置に位置した状態では、回動支持フレーム15に形成された孔と軸保持部７から後方に向って突設されたピン受部16の孔とに差し込まれた固定ピン17によって機体３に対して固定される。また、回動支持フレーム15は、第２位置に位置した状態では、回動支持フレーム15に形成された孔と軸保持部７から前方に向って突設されたピン受部18の孔とに差し込まれた固定ピン17によって機体３に対して固定される。
【００１５】
そして、この回動支持フレーム15には、回転溝掘体６にて掘り上げた土をこの土が圃場の溝Ａ内に落ちないように左右両側方に排出、つまり掘り上げた土を側方に寄せる略板状の排土体（排土板）21と、回転溝掘体６の進行方向後方位置で溝Ａの左右の両壁面部Ａ1を押し固める略板状の押し固め体（後カバー）22とが設けられている。これら排土体21および押し固め体22は、いずれも、回転中心軸線Ｘを中心とする略１８０度の回動により、トラクタの前進走行により作業をする前進作業状態とトラクタのバック走行により作業をするバック作業状態とに一斉に切換え可能となっている。
【００１６】
次に、上記溝掘機１の作用等を説明する。
【００１７】
トラクタの後部の作業機昇降支持装置にカプラ２を介して機体３を連結し、排土体21および押し固め体22を前進作業状態に設定した状態で、トラクタの前進走行により溝掘機１全体を進行方向に移動させる（図１および図２参照）。
【００１８】
溝掘機１全体がトラクタの前進走行により進行方向に移動すると、圃場の土が回転溝掘体６にて掘り上げられ、この掘り上げられた土が前進作業状態の排土体21にて左右両側方（或いは左右いずれか一側方）に向けて押し出され、回転溝掘体６の進行方向後方位置では溝Ａの左右の両壁面部Ａ1が前進作業状態の押し固め体22にて崩れ落ちないように押し固められる。
【００１９】
そして、溝掘機１がトラクタの前進走行により進行方向に所定距離移動した時点で、トラクタを停止させ、溝掘機１を作業機昇降支持装置にて所望位置まで持ち上げた後、回動支持フレーム15を排土体21および押し固め体22とともに回転中心軸線Ｘを中心として第１位置から第２位置に略１８０度回動させ、固定ピン17で機体３に対して固定することによって、排土体21および押し固め体22をバック作業状態に設定する。
【００２０】
その後、溝掘機１を作業機昇降支持装置にて所望位置まで下降させた後、トラクタのバック走行により溝掘機１全体を進行方向に移動させる（図３参照）。
【００２１】
溝掘機１全体がトラクタのバック走行により進行方向に移動すると、圃場の土が回転溝掘体６にて掘り上げられ、この掘り上げられた土がバック作業状態の排土体21にて左右両側方に向けて押し出され、回転溝掘体６の進行方向後方位置では溝Ａの左右の両壁面部Ａ1がバック作業状態の押し固め体22にて崩れ落ちないように押し固められる。こうして、図４に示すように、圃場の作業開始部分においても、それ以外の部分と略同じ所望形状の溝Ａが得られる。
【００２２】
このように溝掘機１によれば、トラクタのバック走行に基づく溝掘作業によって圃場の作業開始部分において所望形状の溝を得ることができるため、圃場の作業開始部分に関して作業者が手作業で溝を形成する必要がなく、効率良く溝掘作業ができる。
【００２３】
なお、例えばカバー側板にて土飛ばし板10の左右いずれかの側方部を覆うことで土飛ばし方向を左右いずれか一方のみにしてもよい。
【００２４】
また、例えば回動支持フレーム15を回動させるモータ等の駆動手段を備え、排土体21および押し固め体22の切換えを駆動手段からの動力で行うようにしてもよい。
【図面の簡単な説明】
【００２５】
【図１】本発明の一実施の形態に係る溝掘機の側面図である。
【図２】同上溝掘機の要部平面図である。
【図３】同上溝掘機のバック走行作業時における要部側面図である。
【図４】圃場に形成される溝を示す説明図で、（ａ）が側方から見た図で、（ｂ）が上方から見た図である。
【符号の説明】
【００２６】
１    溝掘機
３    機体
６    回転溝掘体
７    軸保持部
８ 回転軸
15    回動支持フレーム
16，18    ピン受部
17    固定ピン
21    排土体
22    押し固め体
Ｘ    回転中心軸線
Ａ    溝
Ａ1   壁面部
【図１】
0004861011.tif 000002
【図２】
0004861011.tif 000003
【図３】
0004861011.tif 000004
【図４】
0004861011.tif 000005